(57)【要約】【課題】庇付きのベランダや縁側等に、新鮮な外気に触れながら寛げるようにした空間を手軽に仮設できるようにするための仮設用可搬型スクリーン装置を提供する。【解決手段】庇付きのベランダ等に、防虫や日除けのために設置する仮設用可搬型スクリーン装置であって、縦枠３に収納したスクリーン５を、該スクリーンの先端の可動桟６の横引きにより、縦枠の上下端から横方向に平行に突出させた上下の横枠７，８に沿って導出入可能にした一対のスクリーン組立枠２Ａ，２Ｂを、それらの上下の横枠の各先端をそれぞれ回転接ぎ手１１，１２を介して連結し、上下の回転接ぎ手はそれらの回転の軸線が同一の直線上にあるものとする。一対のスクリーン組立枠における上下の横枠を、該回転接ぎ手において少なくとも直線状と直角状の範囲で任意角度に折り曲げ可能に形成する。【選択図】図１
2018080471.tif 000002
【特許請求の範囲】
【請求項１】
庇付きのベランダや、屋内であっても屋外に開く建物開口部の直ぐ内側の一部に、防虫や日除けのために設置する仮設用可搬型スクリーン装置であって、
縦枠の内部に収納したスクリーンを、該スクリーンの先端に取り付けた可動桟の横引きにより、該縦枠の上下端から横方向に平行に突出させた上下の横枠に沿って導出入可能にしてなる一対のスクリーン組立枠を、それらの上下の横枠の各先端をそれぞれ離脱可能な回転接ぎ手を介して連結し、上下の回転接ぎ手はそれらの回転の軸線が同一の直線上にあるものとして、該一対のスクリーン組立枠における上下の横枠を、該回転接ぎ手において少なくとも直線状と直角状の範囲で任意角度に折り曲げ可能に形成している、
ことを特徴とする仮設用可搬型スクリーン装置。
【請求項２】
上記スクリーンが、縦枠の内部に収容した巻取軸に巻き取られたロールスクリーン、或いは、交互に逆方向への折り返しによりアコーディオン式に拡縮自在としたスクリーンとして構成されている、
ことを特徴とする請求項１に記載の仮設用可搬型スクリーン装置。
【請求項３】
上記一対のスクリーン組立枠における可動桟に、それらの可動桟によるスクリーンの展張時に両可動桟の間で上下の回転接ぎ手間に生じる隙間を遮蔽するための隙間遮蔽部材を付設している、
ことを特徴とする請求項１又は２に記載の仮設用可搬型スクリーン装置。
【請求項４】
上記一対のスクリーン組立枠の上下横枠の各先端をそれぞれ連結する上下の回転接ぎ手間を、両可動桟によるスクリーンの展張時に該可動桟が当接する受け枠により相互に連結し、該受け枠により上横枠の各先端を支持させている、
ことを特徴とする請求項１又は２に記載の仮設用可搬型スクリーン装置。
【請求項５】
各スクリーン組立枠の上下横枠を連結する上下の回転接ぎ手を、上下の各横枠端に連結する連結部材における回転連結部を相互に回転可能に連結することにより構成し、各スクリーン組立枠における上下横枠端に連結した連結部材間を、各スクリーン組立枠の可動桟が当接する上記受け枠により相互に連結し、両スクリーン組立枠の受け枠を、上記回転接ぎ手の回転の軸線と同一の直線上において回転する連結筒部で相互に連結している、
ことを特徴とする請求項４に記載の仮設用可搬型スクリーン装置。
【発明の詳細な説明】
【技術分野】
【０００１】
本発明は、例えば、庇付きのベランダや、屋内であっても屋外に開く建物開口部の直ぐ内側の一部に、憩い、寛ぎ、談話、飲食等のための空間を、防虫や日除けを配慮して一時的に設置するための仮設用可搬型スクリーン装置に関するものである。
【背景技術】
【０００２】
従来から、屋内における屋外に開く建物開口部に、防虫や日除け、目隠し等のために網戸その他のスクリーン装置を固定的に設置し、或いは、開閉自在に常設することは、極めて一般的に行われている。
しかしながら、庇付きのベランダやテラス、または、屋内であっても屋外に開く建物開口部の直ぐ内側の一部等に、外気に触れながら寛いで、休息や読書、或いは飲食をしたりする空間を一時的に設置したいという要望も少なくはなく、そのような場合に、快適な空間を設定するための資材をにわかに得ることには困難性がある。
【発明の概要】
【発明が解決しようとする課題】
【０００３】
本発明の技術的課題は、庇付きのベランダや縁側、または、屋内であっても屋外に開く建物開口部の直ぐ内側の一部等に、新鮮な外気に触れながら寛げるようにした空間を手軽に仮設できるようにするための仮設用可搬型スクリーン装置を提供することにある。
【課題を解決するための手段】
【０００４】
上記課題を解決するため、本発明によれば、庇付きのベランダや、屋内であっても屋外に開く建物開口部の直ぐ内側の一部に、防虫や日除けのために設置する仮設用可搬型スクリーン装置であって、縦枠の内部に収納したスクリーンを、該スクリーンの先端に取り付けた可動桟の横引きにより、該縦枠の上下端から横方向に平行に突出させた上下の横枠に沿って導出入可能にしてなる一対のスクリーン組立枠を、それらの上下の横枠の各先端をそれぞれ離脱可能な回転接ぎ手を介して連結し、上下の回転接ぎ手はそれらの回転の軸線が同一の直線上にあるものとして、該一対のスクリーン組立枠における上下の横枠を、該回転接ぎ手において少なくとも直線状と直角状の範囲で任意角度に折り曲げ可能に形成していることを特徴とする仮設用可搬型スクリーン装置が提供される。
【０００５】
本発明に係る仮設用可搬型スクリーン装置の好ましい実施形態においては、上記スクリーンが、縦枠の内部に収容した巻取軸に巻き取られたロールスクリーン、或いは、交互に逆方向への折り返しによりアコーディオン式に拡縮自在としたスクリーンとして構成される。
【０００６】
また、本発明に係る仮設用可搬型スクリーン装置の他の好ましい実施形態においては、上記一対のスクリーン組立枠における可動桟に、それらの可動桟によるスクリーンの展張時に両可動桟の間で上下の回転接ぎ手間に生じる隙間を遮蔽するための隙間遮蔽部材を付設したものとして構成される。
【０００７】
本発明に係る仮設用可搬型スクリーン装置の他の好ましい実施形態においては、上記一対のスクリーン組立枠の上下横枠の各先端をそれぞれ連結する上下の回転接ぎ手間を、両可動桟によるスクリーンの展張時に該可動桟が当接する受け枠により相互に連結し、該受け枠により上横枠の各先端を支持させるものとして構成される。
【０００８】
更に、本発明に係る仮設用可搬型スクリーン装置の他の好ましい実施形態においては、各スクリーン組立枠の上下横枠を連結する上下の回転接ぎ手を、上下の各横枠端に連結する連結部材における回転連結部を相互に回転可能に連結することにより構成し、各スクリーン組立枠における上下横枠端に連結した連結部材間を、各スクリーン組立枠の可動桟が当接する上記受け枠により相互に連結し、両スクリーン組立枠の受け枠を、上記回転接ぎ手の回転の軸線と同一の直線上において回転する連結筒部で相互に連結しているものとして構成される。
【０００９】
上記構成を有する仮設用可搬型スクリーン装置は、一対のスクリーン組立枠を回転接ぎ手により離脱可能に形成しているために搬送に至便であるだけでなく、回転接ぎ手において折り曲げることにより自立させることが可能になるため、庇のある任意の場所に手軽に寛ぎ等のための空間を仮設できるものである。
なお、上記スクリーン装置は、設置及び解体収納が非常に簡易に行えるために、極めて仮設に適したものではあるが、風対策や他の危険性防止のために固定的に設置可能にすることもできる。
【００１０】
また、上記スクリーン装置は、一対のスクリーン組立枠における横枠の長さの同じものや、長さの異なるものを回転接ぎ手により連結し、或いは、回転接ぎ手により上下の横枠を適宜角度に折り曲げることにより、各種の変化のある寛ぎの空間を形成することができるものである。更に、一対のスクリーン組立枠を鈎型に形成したり、或いは、一対のスクリーン組立枠の一端に他の一対のスクリーン組立枠や単一のスクリーン組立枠を連結して多連に形成し、それらを回転接ぎ手において適宜折り曲げることにより、多様な形態に形成することもできる。また、回転接ぎ手により連結した一対のスクリーン組立枠を折り曲げないで、簡単な脚等により、手摺りや建物開口部に沿って設置することもできる。
【発明の効果】
【００１１】
以上に詳述した本発明の仮設用可搬型スクリーン装置によれば、庇付きのベランダやテラス、または、屋内であっても屋外に開く建物開口部の直ぐ内側の一部等に、新鮮な外気に触れながら寛げるようにして、防虫や日除け、目隠し等の機能を持たせた空間を手軽に仮設して、利用することが可能になる。
【図面の簡単な説明】
【００１２】
【図１】本発明に係る仮設用可搬型スクリーン装置の第１実施例を、一対のスクリーン組立枠が上下の回転接ぎ手において直角に折り曲げられ、且つスクリーンを半開とした状態として示す斜視図である。
【図２】（ａ）は、上記第１実施例における一対のスクリーン組立枠の横枠が同長である場合の断面図、（ｂ）は同じく一対のスクリーン組立枠が回転接ぎ手において折り曲げられていない状態として示す断面図である。
【図３】図２の（ｂ）の状態にある上記第１実施例の正面図である。
【図４】スクリーン組立枠の上下の横枠にスクリーンの上下側端を保持させる態様を示す一部破断拡大断面図である。
【図５】上記第１実施例における回転接ぎ手の構成を示すもので、（ａ）は一対の横枠を直角に折り曲げて接続する場合の形態、（ｂ）は横枠を折り曲げない場合の形態についての斜視図である。
【図６】本発明に係る仮設用可搬型スクリーン装置の第２実施例を、図１の第１実施例と同じ状態において示す斜視図である。
【図７】（ａ）は、上記第２実施例における一対のスクリーン組立枠の横枠が同長である場合の断面図、（ｂ）は同じく一対のスクリーン組立枠が回転接ぎ手において折り曲げられていない状態として示す断面図である。
【図８】図７の（ｂ）の状態にある上記第２実施例の正面図である。
【図９】上記第２実施例における回転接ぎ手の構成を示すもので、（ａ）は一対の横枠を直角に折り曲げて接続する場合の形態、（ｂ）は横枠を折り曲げない場合の形態についての斜視図である。
【発明を実施するための形態】
【００１３】
図１〜図５は、本発明に係る仮設用可搬型スクリーン装置の第１実施例を示している。この仮設用可搬型スクリーン装置は、住居その他の建物における庇付きのベランダや、屋内であっても屋外に開く建物開口部の直ぐ内側の一部に、憩い、寛ぎ、談話、飲食等のための空間を、防虫や日除け、目隠し等を配慮して一時的に仮設するために用いるものである。そのため、基本的には固定的或いは常設的に設置するものではなく、そのような固定設置手段は備えていないが、風対策や他の危険性防止等のために固定的に設置可能にすることもできる。
【００１４】
まず、上記スクリーン装置１の概要について説明すると、該スクリーン装置１は、対向配置した一対のスクリーン組立枠２Ａ，２Ｂを備え、該スクリーン組立枠２Ａ，２Ｂは、スクリーン５の収納ボックスを形成する縦枠３の内部に、上下端を回転可能に支持させて収容した巻取軸４にスクリーン５を巻き取り可能とし、該巻取軸４にはその内部に収容した図示省略のスプリングによって巻取り方向の回転付勢力を付与し、上記スクリーン５を巻き取り状態に保つようにしている。そして、該スクリーン５の先端に取り付けた可動桟６の横引きにより、該スクリーン５及び可動桟６を、上記縦枠３の上下端から横方向に平行に突出させたところの押出型材からなる上下の横枠７，８に沿って導出入可能とし、このスクリーン組立枠２の一対を、それらの上下の横枠７，８の各先端をそれぞれ回転接ぎ手１１，１２を介して連結したものである。なお、図１から分かるように、スクリーン組立枠２Ａにおける横枠７，８と、スクリーン組立枠２Ｂにおける横枠７，８とは、長さが異なるものとすることもできる。
【００１５】
更に具体的に説明すると、上記一対のスクリーン組立枠２におけるスクリーン５は、図４に示すように、その上下側端に沿ってそれぞれ多数の係合子５ａを取り付け、該係合子５ａを上下の横枠７，８内に保持させたインナーレール１０のスリット１０ａに係合させることにより、スクリーン５の上下側端を該インナーレール１０に摺動自在に保持させたものである。上記スクリーン５の上下側端に対する係合子５ａの取り付けは、衣服等において多用されているファスナーの半体を、スクリーン５の側端に沿って、溶着、縫着、接着等の手段で取り付けることによって行うのが望ましい。
【００１６】
また、上記スクリーン５の可動桟６への取り付けは、図２の（ａ）（ｂ）から分かるように、該スクリーン５の可動桟６への取付端にも、上記スクリーン５の上下端と同様に上記ファスナー半体により形成される多数の係合子５ｂを取り付け、可動桟６における縦枠３側にスクリーン５の取付部材９が嵌着可能な凹溝６ａを形成して、スクリーン５を保持させた該取付部材９を上記凹溝６ａに着脱可能に嵌着することにより行っている。上記取付部材９は、合成樹脂により拡開傾向を持つように形成したケース状部材内にスリット９ａを設け、該スリット９ａに係合子５ｂを係合させて、それを凹溝６ａ内に押入可能に形成したものである。
【００１７】
次に、上記一対のスクリーン組立枠２における上下横枠７，８の各先端を連結する回転接ぎ手１１，１２の構成について説明する。
図５は、一対の下横枠８の先端を連結する回転接ぎ手１２の形態を示しているが、一対の上横枠７の先端を連結する回転接ぎ手１１は、上記下横枠８の回転接ぎ手１２に対して上下対称の立体形状を有するものとして構成され、それらを上下に対向させて配設するようにしている。
【００１８】
そこで、まず、図５に示す下横枠８の回転接ぎ手１２の構成について具体的に説明するに、該回転接ぎ手１２は、図１に示す一対のスクリーン組立枠２Ａ，２Ｂの各下横枠８の先端に連結する連結部材１３ａ，１３ｂに、下部と上部に位置をずらして相互に重なる回転連結部１４ａ，１４ｂを付設し、両回転連結部１４ａ，１４ｂを相互に回転可能に連結するため、その一方の回転連結部１４ａに短軸１６を立設すると共に、他方の回転連結部１４ｂ内に軸孔１７を備えて、上記短軸１６を上記軸孔１７に回転自在に嵌入し、両連結部材１３ａ，１３ｂをそれらの軸線の周りで回転可能に連結している。また、上記連結部材１３ａ，１３ｂには、それぞれ下の横枠８の端部の中空孔８ａ（図４参照）に押入して嵌着する横枠嵌着部１８ａ，１８ｂを備えている。
【００１９】
一方、一対の上横枠７の先端を連結する回転接ぎ手１１は、上述したように上記下横枠８の回転接ぎ手１２に対して上下対称の立体形状を有するものであるから、その詳細な説明は省略するが、一対のスクリーン組立枠２Ａ，２Ｂの折り曲げのために、該一対のスクリーン組立枠２Ａ，２Ｂ間において上下の回転接ぎ手１１，１２の回転連結部１４ａ，１４ｂの短軸１６と軸孔１７により形成される回転の軸線は、同一の直線上にあるものとする必要がある。
【００２０】
なお、ここでは上下の横枠７，８の先端を連結する回転接ぎ手１１，１２が上下対称の立体形状を有する旨を説明しているが、それらが完全に対称であることが必要であるのではなく、少なくとも本発明の作用を奏する点で構成的な対称性があれば、例えば、下の横枠８の回転接ぎ手１２にスクリーン装置１の自立性を高めるための若干の構成が付加されていても、上下の回転接ぎ手１１，１２の対称性が否定されるべきではなく、更に、上記短軸１６と軸孔１７とは、回転連結部１４ａ，１４ｂのいずれに設けられていても差し支えない。
【００２１】
また、上記一対のスクリーン組立枠２Ａ，２Ｂは、それを必要な場所に設置して使用し、更に不使用時には収納保管場所に搬送、収納することから、少なくとも一対のスクリーン組立枠２Ａ，２Ｂを分離して取り扱えるようにしておく必要があり、そのためには、回転接ぎ手１２の横枠嵌着部１８ａ，１８ｂを横枠７，８から抜脱により分離可能にしておくとか、或いは、上記回転連結部１４ａ，１４ｂの短軸１６と軸孔１７の挿脱を可能にしておくことが望まれ、これにより、スクリーン装置１の可搬性を著しく改善することができる。
【００２２】
上述した上下の回転接ぎ手１１，１２により一対のスクリーン組立枠２Ａ，２Ｂが連結されたスクリーン装置１は、一対のスクリーン組立枠２Ａ，２Ｂが該回転接ぎ手１１，１２において少なくとも図５の（ａ）に示すように連結部材１３ａ，１３ｂの一部が当接する直角状、或いは、図５の（ｂ）に示す直線状になるように連結できるだけでなく、その間の任意角度に折り曲げ可能であり、しかも、該一対のスクリーン組立枠２Ａ，２Ｂを回転接ぎ手１１，１２において離脱させることにより、重ねて保管、搬送することも可能になり、一時的なスクリーン装置１の設置及びその収納に至便に構成されている。
【００２３】
更に、上記構成を有するスクリーン装置１では、縦枠３の内部に収納したスクリーン５を可動桟６の横引きにより上下の横枠７，８に沿って導出可能にしているが、一対のスクリーン組立枠２における両スクリーン５を導出したときに、両スクリーン組立枠２が回転接ぎ手１１，１２において折り曲げられている角度によっては、両可動桟６，６が召し合わせ部分において当接するとは限らず、上下の回転接ぎ手１１，１２間において両可動桟６，６の間に隙間が生じることになる。上述したスクリーン装置１においては、このような隙間が生じて見苦しくなるのを避けるため、一対の可動桟６の先端に、両スクリーン５の展張時に両可動桟６の間に生じる隙間を遮蔽するための隙間遮蔽部材１９ａ，１９ｂを付設している。
【００２４】
上記隙間遮蔽部材１９ａ，１９ｂは、図２の（ａ）に示すように、一対のスクリーン組立枠２Ａ，２Ｂが回転接ぎ手１１，１２において直角状に折り曲げられている場合に、隙間遮蔽部材１９ａの側面に隙間遮蔽部材１９ｂの先端が接触し、同図の（ｂ）に示すように、一対のスクリーン組立枠２Ａ，２Ｂが回転接ぎ手１１，１２において折り曲げられていない場合には、両隙間遮蔽部材１９ａ，１９ｂの先端同士が接触するものとしている。但し、中間的な角度の折り曲げでは、可動桟６，６の間に若干の隙間が生じることになるが、かかる隙間をもなくすことが望まれる場合には、可撓性のあるシートを両可動桟６，６の間に張設するなど、適宜手段を採用することができる。
【００２５】
なお、上記スクリーン装置１を図２の（ｂ）に示すような直線状の状態で使用する場合には、該スクリーン装置に必要な自立手段を付設することを考慮する必要がある。また、上記スクリーン装置１のスクリーン５として防虫網を用いることにより、該スクリーン装置を防虫のために用いる場合において、庇と上の枠材７との間に大きな空間が生じる場合には、その空間をスクリーンその他の部材で封じるなど、何らかの対応策を講じることが望まれる。
【００２６】
次に、図６〜図９を参照して、本発明の第２実施例について説明する。この第２実施例の仮設用可搬型スクリーン装置１は、上記第１実施例と比較して、一対のスクリーン組立枠２Ａ，２Ｂにおける上下横枠７，８の各先端間をそれぞれ回転接ぎ手２１，２２によって連結した点において共通し、一方、両スクリーン組立枠２Ａ，２Ｂのスクリーン５の展張時に可動桟６，６が当接する受け枠２５ａ，２５ｂを設けて、該受け枠により上下の回転接ぎ手２１，２２間を相互に連結し、該受け枠により上横枠７，７の各先端を支持させている点において主たる差異を有している。
【００２７】
そのため、第２実施例についての以下の説明において、第１実施例と同様に、一対のスクリーン組立枠２Ａ，２Ｂにおける上下の横枠７，８の各先端間を、それぞれ回転接ぎ手２１，２２によって連結した点の構成については、説明の重複を避けるため、各図における第１実施例と同一又は対応部分に、第１実施例の場合と同一の符号を付して、それらの説明を省略する。
【００２８】
図６〜図９に示す第２実施例においては、上述したように、各スクリーン組立枠２Ａ，２Ｂの上下の横枠７，８の先端を上下の回転接ぎ手２１，２２により連結し、しかも、上記受け枠２５ａ，２５ｂにより上下の回転接ぎ手２１，２２間を相互に連結しているが、この第２実施例においても、一対の上横枠７の連結する回転接ぎ手２１を下横枠８の回転接ぎ手２２に対して上下対称の立体形状を有するものとして、それらを上下に対向させて配設するようにし、図９においては、一対の下横枠８の先端を連結する回転接ぎ手２２の形態のみを示している。
【００２９】
そこで、図９を参照して、下横枠８の回転接ぎ手２２の構成について説明するに、この回転接ぎ手２２は、一対のスクリーン組立枠２Ａ，２Ｂの各下横枠８の先端に連結する連結部材２３ａ，２３ｂに、相互に重なる回転連結部２４ａ，２４ｂを付設し、両回転連結部２４ａ，２４ｂを相互に回転可能に連結するため、それらに第１実施例と同様の短軸及び軸孔を設けてそれらを回転自在に嵌合し、両連結部材２３ａ，２３ｂをそれらの軸線の周りで回転可能に連結している。また、上記連結部材２３ａ，２３ｂには、下の横枠８の端部の中空孔８ａ（図４参照）に押入して嵌着する横枠嵌着部２８ａ，２８ｂを備えている。
【００３０】
回転接ぎ手２２の上述したところは前記第１実施例と実質的に変わるところがないが、この第２実施例では、スクリーン組立枠２Ａ，２Ｂのそれぞれにおける各横枠８端に連結する連結部材２３ａ，２３ｂの上面に、各スクリーン組立枠２Ａ，２Ｂのそれぞれにおける上下の横枠７，８端に連結した連結部材２３ａ，２３ａ間、及び連結部材２３ｂ，２３ｂ間を、各スクリーン組立枠２Ａ，２Ｂの可動桟６，６が当接する受け枠２５ａ，２５ｂで相互に連結するための、該受け枠２５ａ，２５ｂの端部を嵌着させる受け枠嵌着部３０ａ，３０ｂを突出させ、上下の回転接ぎ手２１，２２における連結部材にそれぞれ設けた該受け枠嵌着部に受け枠２５ａ，２５ｂの端部を嵌着させることにより、上横枠７の各先端を受け枠で支持させている。
【００３１】
なお、上記受け枠嵌着部３０ａ，３０ｂの表面に弾性的に突出させた係止片３１ａ，３１ｂは、受け枠２５ａ，２５ｂの端部に設けた図示省略の係止孔に嵌入して、受け枠嵌着部３０ａ，３０ｂからの受け枠の離脱を防止し、また該係止片３１ａ，３１ｂの押入により、受け枠の離脱を可能にするものである。
また、上記両スクリーン組立枠２Ａ，２Ｂの受け枠２５ａ，２５ｂは、上下の回転接ぎ手２１，２２の回転の軸線と同一の直線上において二重の状態で嵌り合って回転する連結筒部２６ａ，２６ｂで相互に連結している。この連結筒部２６ａ，２６ｂは、第１実施例の隙間遮蔽部材１９ａ，１９ｂと同様に、上下の回転接ぎ手２１，２２間で一対の受け枠２５ａ，２５ｂの間に隙間が生じるのを抑止するものである。
【００３２】
上記第１及び第２実施例におけるスクリーン５としては、縦枠３の内部に収容した回転自在の巻取軸４に巻き取られたロールスクリーンを用いているが、該スクリーン５としては、それに限るものではなく、例えば、交互に逆方向への折り返しによりアコーディオン式に拡縮自在としたスクリーンを用い、その上下側端に離散的に取り付けた係合子を上下横枠７，８内に設けた摺動用ガイドに沿って摺動自在に保持させるようなものとして構成することもできる。
【符号の説明】
【００３３】
１    スクリーン装置
２Ａ，２Ｂ    スクリーン組立枠
３    縦枠
５    スクリーン
６    可動桟
７，８    横枠
１１，１２    回転接ぎ手
【図１】
2018080471.tif 000003
【図２】
2018080471.tif 000004
【図３】
2018080471.tif 000005
【図４】
2018080471.tif 000006
【図５】
2018080471.tif 000007
【図６】
2018080471.tif 000008
【図７】
2018080471.tif 000009
【図８】
2018080471.tif 000010
【図９】
2018080471.tif 000011